(57)【要約】【課題】放熱性に優れ、かつ操作性が良く、さらに照射方向を変えることが可能な照明器具を提供する。【解決手段】光源１１と、光源が配設される光源配設部１２ｂ、この光源配設部に対向して設けられ、略球状の一部で構成された被押圧部１２ｃ及び他の部分を略球状をなす軌跡線Ｚより外方に突出して形成された凸部１２ｄを有する基体１２と、光源を覆う略半球状のカバー部材１３と、カバー部材より小径の開口部１４ａを有する器具本体１４と、前記カバー部材の一部が前記開口部の内周縁に当接するように前記被押圧部を押圧する弾性体１５とを具備する照明器具を構成する。【選択図】        図１
2007179906.tif 000002
【特許請求の範囲】
【請求項１】
光源と；
光源が配設される光源配設部、この光源配設部に対向して設けられ、略球状の一部で構成された被押圧部及び他の部分を略球状をなす軌跡線より外方に突出して形成された凸部を有する基体と；
光源を覆う略半球状のカバー部材と；
カバー部材より小径の開口部を有する器具本体と；
前記カバー部材の一部が前記開口部の内周縁に当接するように前記被押圧部を押圧する弾性体と；
を具備することを特徴とする照明器具。
【請求項２】
前記基体は、熱伝導性を有する金属部材で構成し、略球状をなす軌跡線より外方に突出して複数の放熱フィンを一体に形成したことを特徴とする請求項１に記載の照明器具。
【請求項３】
前記カバー部材は、合成樹脂で構成したことを特徴とする請求項１または２に記載の照明器具。
【請求項４】
前記光源は、発光ダイオードで構成したことを特徴とする請求項１ないし３いずれか一に記載の照明器具。
【発明の詳細な説明】
【技術分野】
【０００１】
本発明は、照射方向を可変可能とした照明器具に関する。
【背景技術】
【０００２】
この種の照明器具として、例えば、特許文献１に示されるように、光源を有する略球状の灯具を、器具本体に対してユニバーサルに回転させて照射方向を可変可能にした照明器具がある。
【０００３】
一方、特許文献１にも示されるように、フィラメント電球に代わって、寿命が長く、また消費電力の少ない発光ダイオードが、例えば天井面に設置されるダウンライトや、店舗のショーウインドウ用のスポットライトなど、各種照明器具の光源として採用されるようになってきている。
【０００４】
発光ダイオードは、点灯時に発熱量が比較的多く、この温度上昇により発光効率が低下し光束の低下が生じて所定の照度が得られない問題がある。
【０００５】
特に店舗のショーウインドウ等の展示物を照明するスポットライト等においては、光束の低下により初期の発光色が得られずに色ずれが生じて、展示物に対する所望の演色効果が得られなくなる。
【０００６】
これを解決するために、この種の発光ダイオードを光源とする照明器具においては、発光ダイオードの放熱特性を向上させ発光効率の低下を防止することが行われている。
【特許文献１】特開２００５−１４９７９０号公報
【発明の開示】
【発明が解決しようとする課題】
【０００７】
特許文献１に示されるものは、光源としての発光ダイオードが内装された略球状の灯具と、灯具の上部に当接して押さえる弾性体を設けて、灯具の照射方向を可変自在に構成している。
【０００８】
一方、発光ダイオードが発生する熱を放熱するための構成としては、略球状の灯具を構成する上部材に放熱部を形成している。
【０００９】
このため、放熱部には、灯具の略球状をなす形状の範囲内でしか、放熱フィンを形成することができない。このため放熱のための面積を広くとることができず、発光ダイオードの放熱を十分に行うことができない。
【００１０】
放熱効果をより効果的に行うためには、上部材と結合される光源やレンズ等を備えた下部材、さらには、器具本体もアルミダイカスト製となして放熱面積を広くし、発光ダイオードの熱を上部材から下部材さらに器具本体を介して外部に放熱する構成が必要となる。
【００１１】
この結果、高価なアルミダイカストを多く用いるために材料費が高騰し、安価な照明器具を提供できない問題が生じる。
【００１２】
同時に、照明器具の照射方向を変えるために、下部材を手で摘んで回動させるが、下部材の温度が高くなっており、長時間の使用時など極端な場合には、点灯中に熱くて触れない場合もあり可変のための操作に支障をきたす恐れもある。
【００１３】
一方、放熱特性を良好にするために、灯具を大きく構成して放熱面積を大となすことで対応すると、小形の光源である発光ダイオードを使用しながら照明器具全体が大形化してしまう問題が生じる。
【００１４】
これらの問題は、近年、発光ダイオードがますます高輝度、高出力化され、発生する熱がますます増大していることからも、重要な課題となっている。
【００１５】
さらに、これらの問題は、発光源を発光ダイオードにした照明器具にかかわらず、例えば、電球形蛍光ランプを光源とした場合でも、小型高出力化のために、発光管の温度及び点灯回路の温度低減が重要な課題となっている。
【００１６】
本発明は、放熱性に優れ、かつ操作性が良く、さらに照射方向を変えることが可能な照明器具を提供しようとするものである。
【課題を解決するための手段】
【００１７】
上記の目的を達成するために、請求項１に記載の照明器具の発明は、光源と；光源が配設される光源配設部、この光源配設部に対向して設けられ、略球状の一部で構成された被押圧部及び他の部分を略球状をなす軌跡線より外方に突出して形成された凸部を有する基体と；光源を覆う略半球状のカバー部材と；カバー部材より小径の開口部を有する器具本体と；前記カバー部材の一部が前記開口部の内周縁に当接するように前記被押圧部を押圧する弾性体と；を具備することを特徴とする。
【００１８】
本発明によれば、基体は、光源が配設される光源配設部、この光源配設部に対向して設けられ、略球状の一部で構成された被押圧部及び他の部分を略球状をなす軌跡線より外方に突出して形成された凸部を有する構成となしたことにより、放熱性に優れ、かつ操作性が良く、さらに照射方向を変えることが可能な照明器具が実現される。
【００１９】
本発明において、光源は、フィラメントを有しない半導体よりなる発光素子で、例えば発光ダイオードや半導体レーザなどを許容する。
【００２０】
さらに、半導体発光素子に限らず、例えば、電球形蛍光ランプ等に用いられる小型の発光管でもよく、温度低減が必要な全ての光源が許容される。
【００２１】
基体は、略球状の一部で構成された被押圧部及び他の部分を略球状をなす軌跡線より外方に突出して形成された凸部を有する構成となすことが許容されるが、被押圧部及び他の部分は、幾何学的に完全に区分けされている必要はなく、例えば、被押圧部は、実際に押圧される部分より若干広い部分を含んでいてもよく、要は実質的に支障とならない範囲で被押圧部及び他の部分が区分されていればよい。
【００２２】
基体の凸部は、例えば、軌跡線より外方に一体に突出して形成した複数の放熱フィンで構成してもよい。
【００２３】
基体は、アルミニウム等の熱伝導性の良好な金属で構成することを許容するが、合成樹脂の素材にアルミニウム等の金属膜をコーティングしたり、アルミ箔等を被覆したものなどでもよく、その材質は特定のものに限定されない。
【００２４】
基体の形状は、略半球状をなし、後述する略半球状のカバー部材と組み合わせることにより、全体として略球状をなす発光体を構成することが好ましいが、ここでは特定の形状に限定することなく、例えば、円柱、三角錐、さらには直方体などの立体形状をなしていてもよい。
【００２５】
光源を覆う略半球状のカバー部材は、アルミニウム等の金属に比して価格的に有利な合成樹脂が好ましいが、ここでは特定の材質に限定されず、例えば、合成樹脂の素材にアルミニウム等の金属膜をコーティングしたり、アルミ箔等を被覆したもの、さらには、アルミニウム等の熱伝導性の良好な金属で構成することも許容し、基体とカバー部材の材質は同一でも、異なる材質で構成してもよい。
【００２６】
カバー部材は、全体が完全な半球形状をなしてもよいが、後述する器具本体の開口部の開口内周縁に可変可能に当接する一部を少なくとも球面となし、全体として略半球状をなしたものを許容する。
【００２７】
また、光源を覆う状態は、気密にしても、また放熱のための空気孔等を形成し外部と連通させたものであってもよい。
【００２８】
器具本体は、開口部の内周縁にカバー部材の一部を当接するため、カバー部材より小径の開口部を有するもので、その材質は、合成樹脂でも、アルミニウム等の熱伝導性の良好な金属で構成しても、さらには合成樹脂の素材にアルミニウム等の金属膜をコーティングしたり、アルミ箔等を被覆したものを許容し、カバー部材と同様の材質で構成し、可変動作を円滑にすることが好ましいが、異なる材質で構成してもよい。
【００２９】
被押圧部を押圧する弾性体は、板状のバネでも線材をスパイラル状に形成したスプリング状のバネで構成してもよく、さらに弾性体を器具本体に取り付けるための機能、さらには照明器具を天井等の造営材に形成した取付孔に固定するための取付部材の機能を有していてもよい。
【００３０】
本発明の照明器具は、照明の目的のために使用するすべての照明器具に適応するもので、例えば、ダウンライトやスポットライト等に用いることができる。さらに各種の表示装置に用いることもできる。
【００３１】
請求項２に記載の発明は、請求項１に記載の照明器具において、前記基体は、熱伝導性を有する金属部材で構成し、略球状をなす軌跡線より外方に突出して複数の放熱フィンを一体に形成したことを特徴とする。
【００３２】
金属部材は、熱伝導性の良好なアルミニウムやニッケル等の金属が許容される。
【００３３】
請求項３に記載の発明は、請求項１または２に記載の照明器具において、前記カバー部材は、合成樹脂で構成したことを特徴とする。
【００３４】
合成樹脂は、例えば、耐熱性、耐光性、電気絶縁性の良好なＰＢＴ（ポリブチレンテレフタレート）やＰＰＡ（ポリフタルアミド）、ＰＣ（ポリカーボネート）などの合成樹脂が許容される。
【００３５】
請求項４に記載の発明は、請求項１ないし３いずれか一に記載の照明器具において、前記光源は、発光ダイオードで構成したことを特徴とする。
【発明の効果】
【００３６】
請求項１の発明によれば、基体は、光源が配設される光源配設部、この光源配設部に対向して設けられ、略球状の一部で構成された被押圧部及び他の部分を略球状をなす軌跡線より外方に突出して形成された凸部を有する構成となしたことにより、放熱性に優れ、かつ操作性が良く、さらに照射方向を変えることが可能な照明器具を提供することができる。
【００３７】
請求項２の発明によれば、基体は、熱伝導性を有する金属部材で構成し、略球状をなす軌跡線より外方に突出して複数の放熱フィンを一体に形成したことにより、放熱性に優れ、かつ操作性が良く、さらに照射方向を変えることが可能な照明器具を提供することができる。
【００３８】
請求項３の発明によれば、カバー部材は、合成樹脂で構成したことにより、点灯中も照射方向を変えることが可能な照明器具を提供することができる。
【００３９】
請求項４の発明によれば、光源は、発光ダイオードで構成したことにより、放熱性に優れ、かつ操作性が良く、さらに照射方向を変えることが可能な発光ダイオードを用いた照明器具を提供することができる。
【発明を実施するための最良の形態】
【００４０】
以下、本発明に係る照明器具の実施形態について説明する。
【実施例１】
【００４１】
図１〜図３は、本発明の実施形態の照明器具を示し、図１は照明器具の縦断面図（図２（ａ）Ａ−Ａ線に沿う縦断面図）、図２は照明器具を示し、（ａ）は平面図、（ｂ）は底面図、図３は照明器具をダウンライトとして用い天井面の取付孔に設置した状態を示す縦断面図である。
【００４２】
本実施例の照明器具は、店舗等に用いられるダウンライトとして構成されたものである。
【００４３】
図１〜図２に示すように、照明器具１０は、光源１１、基体１２、カバー部材１３、器具本体１４、弾性体１５及びレンズ１６で構成する。
【００４４】
光源１１は、発光ダイオード（以下「ＬＥＤ」と称す）で、本実施形態ではＬＥＤの光学軸線ａ−ａに光線が主として放射される１個の白色ＬＥＤで構成する。
【００４５】
ＬＥＤ１１は、一次レンズを有するチップ素子を中心部にして円板状のプリント配線基板に実装したもので、プリント配線基板の裏面に重合し接して設けられたアルミニウム等の熱伝導性の良好な金属からなる放熱板１１ａを有する。放熱板はプリント配線基板と同形状の円板状に構成する。
【００４６】
基体１２は、アルミニウム等の熱伝導性の良好な金属で、肉厚な略半球状をなす形状に構成し、一端部に開口部１２ａを形成すると共に、この開口部の底面に光源配設部１２ｂを形成する。
【００４７】
光源配設部１２ｂは凹部で構成され、凹部内に光源であるＬＥＤ１１を収納して配設する。
【００４８】
光源配設部１２ｂに対向した外面（図１中上面）に、略球状の一部で構成された被押圧部１２ｃを形成し、被押圧部１２ｃ以外の他の部分を略球状をなす軌跡線Ｚより外方に突出して凸部１２ｄを形成する。
【００４９】
基体１２の被押圧部１２ｃは、照射方向の可変動作時に、後述する弾性体１５と当接する部分が略球状の一部で構成された略球状面となし、他の部分に形成された凸部１２ｄは、略球状をなす軌跡線Ｚより外方に一体に突出して形成した複数の放熱フィン１２ｅで構成する。
【００５０】
放熱フィン１２ｅは、軌跡線Ｚより外方に突出して肉厚に形成された凸部１２ｄの外面を、軌跡線Ｚより内側まで切削して、軌跡線Ｚより内側を基点とし、先端部が軌跡線Ｚより外方に突出する表面積の大きなフィンを、被押圧部１２ｃの略球状面の中心点を基点とする放射方向に略等間隔に１０枚形成する。
【００５１】
上記に構成した基体１２には、その開口部１２ａからＬＥＤ１１を実装した放熱板１１ａを挿入し、ネジ等で光源配設部１２ｂの凹部内底面に密着して固定する。
【００５２】
基体１２の開口部１２ａには、その端部外周面に径を縮小した環状の係止段部１２ｆを一体に形成する。
【００５３】
なお、ＬＥＤ１１には図示しない電源線が接続され、電源線は基体１２を貫通して外部に導出され、別途に構成した電源部に接続される。
【００５４】
図中１６はレンズで、無色透明のポリカーボネート等の合成樹脂で、縦断面がすり鉢状で横断面が円形をなす形状に構成し、その一端面が平坦な光出力端で、他端面に光入力端となる凹部を形成して構成する。
【００５５】
上記に構成したレンズ１６は、光入力端の凹部に、上記ＬＥＤ１１に設けられた一次レンズを挿入し、ＬＥＤの光学軸線ａ−ａとレンズの光学軸線ｂ−ｂを完全に一致させるようにして保持する。
【００５６】
カバー部材１３は、耐熱性、耐光性、電気絶縁性の良好なＰＢＴ（ポリブチレンテレフタレート）等の合成樹脂からなり、ＬＥＤ１１を覆い、基体１２の開口部１２ａを閉塞するように、一端部に開口部１３ａを有し、内部を空間とした略半球状をなす椀体に構成する。
【００５７】
開口部１３ａは、その内径寸法を、基体１２の係止段部１２ｆの外径寸法と略同一となし、基体１２の係止段部１２ｆがカバー部材１３の開口部１３ａに嵌合できるように構成する。
【００５８】
カバー部材１３の椀体の底面となる部分に、透光部を構成する透孔１３ｃを形成する。この透孔１３ｃには、透明なアクリル樹脂等からなる透光板１３ｄを嵌め込んで固定し、透孔１３ｃの外周面には使用者が指先をかけるための環状の摘み部１３ｅを一体に突出して形成する。
【００５９】
上記に構成したカバー部材１３は、その開口部１３ａを基体１２の係止段部１２ｆに嵌め込み、シリコン等の耐熱性の接着剤で固定することにより、光源であるＬＥＤ１１及びレンズ１６を覆うようにして一体化され、基体１２及びカバー部材１３が全体としてなす形状が、直径ｄ１が約３５ｍｍの略球状の形状をなすように構成される。
【００６０】
なお、カバー部材１３の開口部１３ａを基体１２の係止段部１２ｆに嵌め込む際に、レンズ１６の光出力端とカバー部材１３の内面にゴム等の弾性材からなるレンズ保持部材１６ａを介在させて保持し、レンズ１６の平坦な光出力端を透光１３に対向させると共に、ＬＥＤ１１の光学軸線ａ−ａとレンズの光学軸線ｂ−ｂ及び円形をなす透孔１３ｃの中心が完全に一致するようにして保持する。
【００６１】
これにより、直径約３５ｍｍの球体の中に、光源であるＬＥＤ１１及びレンズ１６等が収納された、略球状のＬＥＤ発光体２０が構成される。
【００６２】
器具本体１４は、カバー部材１３と同材質の、耐熱性、耐光性、電気絶縁性の良好なＰＢＴ（ポリブチレンテレフタレート）等の合成樹脂で円形皿状をなす形状に構成し、皿状底面にカバー部材１３の椀体底面より小径の開口部１４ａを形成する。
【００６３】
開口部１４ａの開口内周縁に、カバー部材１３の椀体底面の略半球状をなす外面の一部を当接し、内周縁上をカバー部材１３の略半球状の外面が滑って動くように構成する。
【００６４】
この際、カバー部材１３の椀体底面の略半球状部分の一部分を開口部１４ａから外方に突出させ、透光１３ｃに形成した摘み部１３ｅを外側から摘んでカバー部材１３全体を動かすことができるように構成する。
【００６５】
弾性体１５は、板状をなすバネを折り曲げて略コ字状に形成し、当接部１５ａ及び両端に支持部１５ｂを形成する。
【００６６】
弾性体１５の当接部１５ａ内面を、基体１２の被押圧部１２ｃの略球状面に対し、弾性体の弾力に抗して当接させ、その状態で両端の支持部１５ｂを器具本体１４の外側面にネジ等を用いて固定する。
【００６７】
これにより、弾性体１５は器具本体１４の開口部１４ａの開口内周縁に、カバー部材１３の一部を当接するように、基体１２の被押圧部１２ｃを押圧し、その弾力により適度な摩擦を有して、略球状のＬＥＤ発光体２０全体が可変可能な状態で支持される。
【００６８】
上記において、ＬＥＤ発光体２０の可変可能な範囲、すなわち、照明器具の照射方向を可変するために、ＬＥＤ発光体２０が器具本体１４に対して可変する範囲は、次のように構成する。
【００６９】
まず、図３に示すように、略球状のＬＥＤ発光体２０は、鉛直線ｘ−ｘを中心線として３６０度の角度（全周）にわたって回転（正逆転可能）できるようにする。
【００７０】
さらに、ＬＥＤ発光体２０は、鉛直線ｘ−ｘとＬＥＤの光学軸線ａ−ａの交点ｃを中心とした角度ａ１が約２５度の角度範囲で自由に揺動できるように構成する。
【００７１】
この両者の動きが組み合わされ、ＬＥＤ発光体２０は、水平面に対して３６０度の角度範囲にわたって回転できると同時に、所定の角度ａ１（約２５度）にわたって傾斜角度が自由に揺動できるよう動かすことができる。
【００７２】
この可動範囲が、すなわち照明器具の照射方向をユニバーサルに可変する範囲となる。
【００７３】
また、同時に、基体１２における被押圧部１２ｃの略球状面の範囲Ｇは、上記における照射方向の可変範囲によって決められる。
【００７４】
すなわち、上記照射方向の可変動作時に、基体１２の被押圧部１２ｃが弾性体１５の当接部１５ａ内面と当接する部分が、略球状面の範囲Ｇとなる。
【００７５】
換言すれば、略球状面の範囲Ｇ以外、若しくはこの範囲より若干広い部分以外は、全て、略球状の軌跡線Ｚより外方に突出させて凸部１５ｄとなして放熱フィン１２ｅを形成する。
【００７６】
これにより、基体１２は弾性体１５に当接しながら、その弾力により適度な摩擦をもって、被押圧部１２ｃの略球状面に沿いスムーズに動くことができると共に、放熱面積が広くなり効果的な放熱作用が行える。
【００７７】
なお、上記において、ＬＥＤ発光体２０は、別途のストッパー機能を設けることにより、鉛直線ｘ−ｘを中心線として３６０度の角度以上には回転しないように構成する。
【００７８】
これにより、基体１２から導出されたＬＥＤ１１の電源線が捩れないように構成される。
【００７９】
また、所定の角度ａ１（約２５度）以上の揺動は、カバー部材１３の透光１３ｃに形成された環状の摘み部１３ｅの先端が、器具本体１４の開口部１４ａの開口内周縁に当接することにより規制される。
【００８０】
以上により、ＬＥＤ１１を光源とし、照射方向をユニバーサルに可変することが可能な照明器具１０が構成される。
【００８１】
因みに、照明器具１０の寸法は、器具本体１４の直径ｄ２が約４２ｍｍ、高さｈが約３４ｍｍの小型のダウンライト用のＬＥＤを用いた照明器具として構成される。
【００８２】
上記に構成した照明器具１０を、図３に示すように天井面Ｓの取付孔Ｈに、別個の取り付け具を用いて埋め込んで設置し、別置きの電源部から電源線を介してＬＥＤ１１に電源を供給する。
【００８３】
これにより、ＬＥＤ１１が点灯して発光し、ＬＥＤの光学軸線ａ−ａに沿った光をカバー部材１３の透光１３ｃから放射して所定の照明を行う。
【００８４】
照射方向を変える必要が生じた場合には、ＬＥＤ１１を点灯したまま、カバー部材１３の摘み部１３ｅを指先で摘んで動かす。
【００８５】
これにより、カバー部材１３の椀体底面の略半球状をなす外面が、器具本体１４の開口部１４ａの開口内周縁に当接しながら、内周縁上を略半球状の外面の一部が滑って動くので、ＬＥＤの光学軸線ａ−ａを上述した可変範囲内で自由に動かし、所望の方向に向けて照明を行えばよい。
【００８６】
この際、器具本体１４と、器具本体の開口部１４ａに当接して動くカバー部材１３とは、同材質の合成樹脂で構成したので円滑に動かすことができる。
【００８７】
一方、点灯時にＬＥＤ１１から発生する熱は、ＬＥＤ１１の放熱板１１ａから基体１２に伝達され、基体の外面に形成した放熱フィン１２ｅから外部に放熱される。
【００８８】
基体１２は、照射方向の可変動作時に弾性体１５と接する被押圧部１２ｃの略球状面以外は、全て、略球状の軌跡線Ｚより外方に突出させて放熱フィン１２ｅを形成したので、放熱面積が広くなり効果的に放熱する。
【００８９】
さらに、放熱フィン１２ｅは、軌跡線Ｚより内側を基点とし先端部が軌跡線Ｚより外方に突出する表面積の大きなフィンとして構成したので、より一層効果的に放熱する。
【００９０】
さらに、放熱フィン１２ｅは、基体１２の被押圧部１２ｃの略球状面の中心点を基点とする放射方向に略等間隔に１０枚形成したので、さらに一層効果的に放熱する。さらに、基体は熱伝導性の良好なアルミニウムで構成したので、より一層効果的に放熱する。
【００９１】
また同時に、ＬＥＤ１１から発生した熱は、カバー部材１３にも一部伝達されるが、カバー部材１３は合成樹脂で構成したので、熱の伝導が抑制され摘み部１３ｅを手で摘んでも熱くなく、ＬＥＤの点灯中でも照射方向を変えることが可能となる。
【００９２】
本実施形態によれば、基体１２は、可変動作時に弾性体１５と接する被押圧部１２ｃの略球状面以外、換言すれば、照射方向を可変するために必要な球面の部分以外は、全て、略球状の軌跡線Ｚより外方に突出させて凸部１２ｄとなして放熱フィン１２ｅを形成したので、放熱面積が広くなり効果的に放熱をさせることができる。
【００９３】
因みに、特許文献１に示す照明器具においては、略球状の灯具を構成する上部材に放熱部を形成し、しかも、この放熱部は灯具の略球状をなす形状の範囲内でしか、放熱フィンを形成することができない。このため放熱のための面積を広くとることができず、発光ダイオードの放熱が十分に行うことができていない。
【００９４】
これに対し、本実施例では、略球状の軌跡線Ｚより外方に突出させて放熱フィン１２ｅを形成したので、放熱面積を広くすることができ、効果的な放熱を行うことができる。
【００９５】
さらに、放熱フィン１２ｅは、軌跡線Ｚより内側を基点とし先端部が軌跡線Ｚより外方に突出する表面積の大きなフィンとして構成したので、より一層効果的に放熱をさせることができる。
【００９６】
さらに、放熱フィン１２ｅは、略等間隔に１０枚形成し、熱伝導性の良好なアルミニウムで構成したので、より一層効果的に放熱をさせることができる。
【００９７】
これらにより効果的な放熱が行われてＬＥＤ１１の温度上昇が抑制され、発光効率の低下を防止することができると共に、光束の減少を防ぐことができ、光りの色ずれが生じたりすることがなく、所望の演色効果をもって展示物等の照明を行うことができる。
【００９８】
さらに、ＬＥＤ１１の温度上昇が抑制されるので、結果としてＬＥＤには、より大なる電力を投入することができ、より明るい照明を行うようにすることも可能となる。
【００９９】
上述のように、基体１２は放熱性が特に優れた構成となすことができたので、基体１２のみを高価なアルミニウム製となし、他の主要な構成部品であるカバー部材１３及び器具本体１４は比較的安価な合成樹脂を採用することができ、コスト的に有利な照明器具を提供することができる。
【０１００】
従来では、放熱効果をより効果的に行うためには、上部材と結合される下部材、さらには、器具本体もアルミダイカスト製となして放熱面積を広くする必要があり、高価なアルミダイカストを多く用いるために安価な照明器具が提供できていない。
【０１０１】
また、ＬＥＤ１１から発生した熱は、カバー部材１３にも一部伝達されるが、カバー部材１３は合成樹脂で構成したので、熱の伝導が抑制され、カバー部材１３の摘み部１３ｅを手で摘んでも、従来のように熱くて触れないようなことはなく、点灯中でも照射方向を変えることができ、可変のための操作に支障をきたすことがなく操作性がよくなる。
【０１０２】
さらに、器具本体１４と、器具本体の開口部１４ａに当接して動くカバー部材１３とは、同材質の合成樹脂で構成したので、摩擦が発生しにくくなり、指先による小さい力でも、簡単かつ円滑に動かすことができ、さらに操作性がよくなる。
【０１０３】
従来では、特許文献１などに示されるように、放熱効果を高めるためには下部材をアルミニウム等の金属で構成しなければならず、器具本体は一般的には合成樹脂で構成することがほとんどで、結果として金属と合成樹脂による材質の異なる部材を接しさせて動かすことになり、摩擦が生じて円滑に動かすことができず、操作性が悪くなる問題が生じていた。
【０１０４】
光源としてＬＥＤ１１を採用したので、器具全体として小型な構成となり、設置スペースの問題やデザイン的な制約を受けず、かつ照射方向を自由に可変することが可能な小型の照明器具を提供することができる。
【０１０５】
本実施形態において、ＬＥＤ１１は白色で構成したが、照明器具の用途に応じ、赤色、黄色、緑色等で構成してもよい。
【０１０６】
基体１２及びカバー部材１３の内面を、白色または鏡面等の光を反射する面となし、レンズ１６から漏れる光を反射させてレンズに戻すように構成し、光ロスを低減させるようにしてもよい。
【０１０７】
基体１２をアルミニウムで構成し、カバー部材１３を合成樹脂で構成したが、両者をアルミニウムで構成し、基体１２の係止段部１２ｆをカバー部材１３の開口部１３ａに嵌合させる構成によって、ＬＥＤ１１からの熱を基体１２からカバー部材１３にも効果的に伝達するようにして、より一層効果的な放熱を行うことができるようにしてもよい。
【０１０８】
さらに、器具本体１４もアルミニウムで構成すれば、より一層効果的な放熱を行うことができると共に、カバー部材１３と器具本体１４とは、同材質の金属となって摩擦が発生しにくくなり、操作性がよくなる。
【０１０９】
カバー部材１３の透光部は、透孔１３ｃに透明なアクリル樹脂等からなる透光板１３ｄを嵌め込んで構成したが、透光板１３ｄを設けずに貫通した透光１３ｃのみで構成し、光を直接外部に放射するようにしてもよい。
【０１１０】
基体１２とカバー部材１３の結合手段は、基体の係止段部１２ｆをカバー部材の開口部１３ａに嵌合させ、シリコン等の耐熱性の接着剤で固定したが、係止段部の外周に雄ネジを、開口部の内周に雌ネジを形成して両者をねじ込んで固定し、修理、点検の際等にはねじ込みを外すことができるように、着脱可能な結合手段で構成してもよい。
【０１１１】
電源部は、別置きに構成したが、基体１２若しくはカバー部材１３内に電源部を収納して構成してもよい。
【０１１２】
照射方向は、水平面において３６０度の角度範囲にわたり可変でき、同時に所定の角度範囲で傾斜角度が自由に揺動できるようしたが、３６０度の角度範囲、全てにわたりで可変できることが条件ではなく、一部の角度範囲において可変ができない部分があってもよく、実用的に支障とならない範囲内で、照射方向がユニバーサルに可変可能になるように構成したものでもよい。
【０１１３】
本実施例の照明器具は、ダウンライトとして構成したが、スポットライト等を構成してもよく、さらに家庭用、店舗、施設、業務用等の各種の室内外の照明器具として構成してもよい。
【０１１４】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１１５】
【図１】本発明の実施形態に係る照明器具の縦断面図（図２（ａ）Ａ−Ａ線に沿う縦断面図）。
【図２】同じく照明器具を示し、（ａ）は平面図、（ｂ）は底面図。
【図３】同じく照明器具をダウンライトとして用い天井面の取付孔に設置した状態を示す縦断面図。
【符号の説明】
【０１１６】
１０  照明器具
１１  光源
１２  基体
１２ｂ  光源配設部
１２ｃ  被押圧部
１２ｄ  凸部
１３  カバー部材
１４  器具本体
１４ａ  開口部
１５  弾性体
Ｚ    軌跡線
【図１】
2007179906.tif 000003
【図２】
2007179906.tif 000004
【図３】
2007179906.tif 000005